(57)【要約】【課題】  索体が撓んだ状態になっても索体が引掛孔部から通孔部を経て導入孔部に至って索体支持孔から抜け落ちることを付加的な簡単な改良によって防止できる照明器具を提供する。【解決手段】  索体支持孔８が、索体７の他端側に設けた索体径よりも太径の引掛部７ａを導入する導入孔部９と、索体７の引掛部７ａを孔縁に引っ掛ける引掛孔部１０と、導入孔部９と引掛孔部１０とを連通する索体径と略同幅の通孔部１１とを有する。索体７の索体支持孔８への挿入後に導入孔部９又は通孔部１１を塞いで索体７の抜け止めをするための抜け止め部材１２を、器具本体２に取り付ける。【選択図】        図１
2009059624.tif 000002
【特許請求の範囲】
【請求項１】
内部にランプ装着部を有した下方に開口せる器具本体と、器具本体の下方開口に取付手段を介して着脱自在に取り付ける配光部材と、取付手段から取外した配光部材の落下を防止する吊手段とを備えた照明器具において、吊手段が、一端を配光部材に取り付けた索体と、器具本体に穿設して索体の他端側を支持する索体支持孔とを有し、索体支持孔が、索体の他端側に設けた索体径よりも太径の引掛部を導入する導入孔部と、索体の引掛部を孔縁に引っ掛ける引掛孔部と、導入孔部と引掛孔部とを連通する索体径と略同幅の通孔部とを有し、索体の索体支持孔への挿入後に導入孔部又は通孔部を塞いで索体の抜け止めをするための抜け止め部材を、器具本体に取り付けたことを特徴とする照明器具。
【請求項２】
上記抜け止め部材を、導入孔部又は通孔部に着脱自在に嵌着させるキャップ部材で構成したことを特徴とする請求項１記載の照明器具。
【請求項３】
上記抜け止め部材を、導入孔部又は通孔部に着脱自在に螺着させるネジ部材で構成したことを特徴とする請求項１記載の照明器具。
【請求項４】
上記抜け止め部材を、導入孔部又は通孔部を開閉自在にする目隠し板で構成したことを特徴とする請求項１記載の照明器具。
【請求項５】
上記目隠し板を器具本体に回転自在にして取り付けると共に、この目隠し板の回転軌跡上に導入孔部又は通孔部が位置するようにし、目隠し板の回転姿勢を変更することで目隠し板にて導入孔部又は通孔部を開閉自在にしたことを特徴とする請求項４記載の照明器具。
【請求項６】
上記目隠し板を弾性変形可能な板材で構成し、この目隠し板を索体の索体支持孔への挿入側と反対側から導入孔部又は通孔部に重ねて配置して導入孔部又は通孔部を閉塞すると共に、目隠し板を上記索体の挿入方向に屈曲変形したときに導入孔部又は通孔部を開放可能にしたことを特徴とする請求項４記載の照明器具。
【発明の詳細な説明】
【技術分野】
【０００１】
本発明は、照明器具に関するものである。
【背景技術】
【０００２】
従来から、内部にランプ装着部を有した下方に開口せる器具本体と、器具本体の下方開口に取付手段を介して着脱自在に取り付ける配光部材とを備えた照明器具には、ランプ取替えの際などに取付手段の取付解除をして器具本体から配光部材を外した状態にしても、配光部材を器具本体から落下しないように吊り下げる吊手段を備えることが行われている（たとえば特許文献１参照）。
【０００３】
この吊手段６としては、たとえば特許文献２を参考に、一端を配光部材５に取り付けた索体７と、器具本体２に穿設して索体７の他端側を支持する索体支持孔８とを備え、索体支持孔８としては図８のように、索体７の他端側に設けた索体径よりも太径の引掛部を導入する導入孔部９と、索体７の引掛部を孔縁に引っ掛ける引掛孔部１０と、導入孔部９と引掛孔部１０とを連通する索体径と略同幅の通孔部１１とを有して形成したものを採用することができる。
【０００４】
このような吊手段６は、簡単な構造で、配光部材５を完全に器具本体２から取り外すことも対応可能で、またランプ１５の取替え時に配光部材５から手を離して配光部材５の自重を索体７に張力として働かせて器具本体２に吊持可能にできる利点を有するものであるが、たとえばランプ１５の取替え後に配光部材５を器具本体２に付け返す時など、配光部材５を手で持ち上げようとして索体７に張力がかからなくなった場合に、矢印Ｃのように、撓んだ索体７が引掛孔部１０から通孔部１１を経て導入孔部９に至って索体支持孔８から索体７が抜け落ちる事態を発生させる恐れがある、という問題を有するものであった。
【特許文献１】特開２００６−１３４６１７号公報
【特許文献２】特開２００６−１２５３５号公報
【発明の開示】
【発明が解決しようとする課題】
【０００５】
本発明は上記の点に鑑みてなされたものであり、その目的とするところは、索体が撓んだ状態になっても索体が引掛孔部から通孔部を経て導入孔部に至って索体支持孔から抜け落ちることを付加的な簡単な改良によって防止できる照明器具を提供することを課題とするものである。
【課題を解決するための手段】
【０００６】
上記課題を解決するために請求項１に係る照明器具にあっては、内部にランプ装着部３を有した下方に開口せる器具本体２と、器具本体２の下方開口に取付手段４を介して着脱自在に取り付ける配光部材５と、取付手段４から取外した配光部材５の落下を防止する吊手段６とを備えた照明器具１において、吊手段６が、一端を配光部材５に取り付けた索体７と、器具本体２に穿設して索体７の他端側を支持する索体支持孔８とを有し、索体支持孔８が、索体７の他端側に設けた索体径よりも太径の引掛部７ａを導入する導入孔部９と、索体７の引掛部７ａを孔縁に引っ掛ける引掛孔部１０と、導入孔部９と引掛孔部１０とを連通する索体径と略同幅の通孔部１１とを有し、索体７の索体支持孔８への挿入後に導入孔部９又は通孔部１１を塞いで索体７の抜け止めをするための抜け止め部材１２を、器具本体２に取り付けたことを特徴とする。
【０００７】
これによると、一端を配光部材５に取り付けた索体７と、器具本体２に穿設して索体７の他端側を支持する索体支持孔８とを有し、索体支持孔８が、索体７の他端側に設けた索体径よりも太径の引掛部７ａを導入する導入孔部９と、索体７の引掛部７ａを孔縁に引っ掛ける引掛孔部１０と、導入孔部９と引掛孔部１０とを連通する索体径と略同幅の通孔部１１とを有するといった構成の吊手段６に対して、索体７の索体支持孔８への挿入後に導入孔部９又は通孔部１１を塞いで索体７の抜け止めをするための抜け止め部材１２を器具本体２に付加的に取り付けるという簡単な改良によって、索体７が撓んだ状態になっても索体７が引掛孔部１０から通孔部１１を経て導入孔部９に至って索体支持孔８から抜け落ちることを防止できるのである。
【０００８】
また、請求項２に係る照明器具にあっては、請求項１において、上記抜け止め部材１２を、導入孔部９又は通孔部１１に着脱自在に嵌着させるキャップ部材１６で構成したことを特徴とする。これによると、抜け止め部材１２としてのキャップ部材１６を導入孔部９又は通孔部１１に嵌着させるという簡単な構造で、導入孔部９又は通孔部１１を塞いで索体７の索体支持孔８からの抜け落ち防止を図ることができる。
【０００９】
また、請求項３に係る照明器具にあっては、請求項１において、上記抜け止め部材１２を、導入孔部９又は通孔部１１に着脱自在に螺着させるネジ部材１７で構成したことを特徴とする。これによると、抜け止め部材１２としてのネジ部材１７を導入孔部９又は通孔部１１に螺着させるという簡単な構造で、導入孔部９又は通孔部１１を塞いで索体７の索体支持孔８からの抜け落ち防止を図ることができる。
【００１０】
また、請求項４に係る照明器具にあっては、請求項１において、上記抜け止め部材１２を、導入孔部９又は通孔部１１を開閉自在にする目隠し板１８で構成したことを特徴とする。これによると、抜け止め部材１２としての目隠し板１８を導入孔部９又は通孔部１１に開閉自在にするという簡単な構造で、導入孔部９又は通孔部１１を塞いで索体７の索体支持孔８からの抜け落ち防止を図ることができる。
【００１１】
また、請求項５に係る照明器具にあっては、請求項４において、上記目隠し板１８を器具本体２に回転自在にして取り付けると共に、この目隠し板１８の回転軌跡上に導入孔部９又は通孔部１１が位置するようにし、目隠し板１８の回転姿勢を変更することで目隠し板１８にて導入孔部９又は通孔部１１を開閉自在にしたことを特徴とする。これによると、目隠し板１８を器具本体２に回転自在に装着するという簡単な構造で、導入孔部９又は通孔部１１を塞いで索体７の索体支持孔８からの抜け落ち防止を図ることができる。
【００１２】
また、請求項６に係る照明器具にあっては、請求項４において、上記目隠し板１８を弾性変形可能な板材で構成し、この目隠し板１８を索体７の索体支持孔８への挿入側と反対側から導入孔部９又は通孔部１１に重ねて配置して導入孔部９又は通孔部１１を閉塞すると共に、目隠し板１８を上記索体７の挿入方向に屈曲変形したときに導入孔部９又は通孔部１１を開放可能にしたことを特徴とする。これによると、索体７の索体支持孔８への挿入時には索体７の挿入力にて目隠し板１８を屈曲変形でき、索体７の索体支持孔８への挿入後には目隠し板１８は弾性復帰にて元の形状に復して導入孔部９又は通孔部１１を塞ぐようにできて、索体７の索体支持孔８からの抜け落ち防止を図ることができるのであり、つまり、わざわざ目隠し板１８に対して導入孔部９又は通孔部１１を塞ぐ操作をしないでも、通常の索体７の索体支持孔８への挿入動作のみで簡単に索体７の索体支持孔８からの抜け落ち防止を図ることができる。
【発明の効果】
【００１３】
本発明にあっては、索体が撓んだ状態になっても、索体が引掛孔部から通孔部を経て導入孔部に至って索体支持孔から抜け落ちることを付加的な簡単な改良によって防止できる、という利点を有する。
【発明を実施するための最良の形態】
【００１４】
以下、本発明を添付図面に示す実施形態に基いて説明する。
【００１５】
本例の照明器具１は、図２のように天井配設型の照明器具１であって、内部にランプ装着部３を有した下方に開口せる器具本体２と、器具本体２の下方開口に取付手段４を介して着脱自在に取り付ける配光部材５と、取付手段４から取外した配光部材５の落下を防止する吊手段６とを備えている。
【００１６】
器具本体２は、天面板部１３ａの四周からそれぞれ側板部１３ｂを垂設して下方に開口せる長尺矩形函状の主体部１３を有し、この主体部１３の内部には直管蛍光灯であるランプ１５を着脱自在に取り付けるランプ装着部３が設けられると共に、ランプ装着部３に装着して主体部１３内に収容されたランプ１５が発する光を下方へ効率よく照射させるためにランプ装着部３の上方位置には傘状の反射板１４が配設されている。反射板１４からは一対の係合片４ａが垂下されており、この係合片４ａに配光部材５に設けた被係合部４ｂを引っ掛け係合させることで、配光部材５を主体部１３の下方開口に配設可能にしている。このように取付手段４は本例では係合片４ａと被係合部４ｂとで構成しているが、他の手段を用いることもできる。また、本例の配光部材５はランプ１５の光に指向性をもたせるルーバー部材５ａで構成されているが、配光部材５としてはシェードや主体部１３の下方開口を覆うカバーで構成することもできる。
【００１７】
吊手段６は、図３のように、一端を配光部材５に取り付けた索体７と、器具本体２に穿設して索体７の他端側に設けた索体径よりも太径の引掛部７ａを引っ掛け支持する索体支持孔８とを有している。本例の索体７には紐が用いられ、引掛部７ａは紐を結んで形成した塊状の結び目で構成させている。索体支持孔８は、索体７の他端側に設けた引掛部７ａを導入する導入孔部９と、索体７の引掛部７ａを孔縁に引っ掛ける引掛孔部１０と、導入孔部９と引掛孔部１０とを連通する索体径と略同幅のスリット状の通孔部１１とを有し、だるま孔状に形成されている。索体支持孔８と索体７との寸法関係は、索体７の径、引掛部７ａの径、導入孔部９の孔径、通孔部１１の幅、引掛孔部１０の孔径をそれぞれ順にａ，ｂ，ｃ，ｄ，ｅとすると、ｃ＞ｂ、ａ＜ｄ、ｅ＜ｂの関係を有する。すなわち、索体７は、図３の矢印Ａのように、その引掛部７ａを索体支持孔８に導入孔部９の表側からその裏側に挿入し、索体７の通常部位（引掛部７ａよりも配光部材５側の部位）を通孔部１１に通して引掛孔部１０に至らせ、索体７を配光部材５側に張力（矢印Ｂ）を働かせることで索体７が引掛孔部１０から逃れないように安定的にその引掛部７ａを引掛孔部１０の裏側縁に引っ掛け係止させることが可能にされている。なお、本例の索体支持孔８は、導入孔部９が上方に位置されて引掛孔部１０が下方に位置されるように主体部１３の側板部１３ｂに穿設されているが、配光部材５の自重を索体７に張力として働かせたときに安定的に引掛部７ａが引掛孔部１０に引っ掛け係止可能であれば、器具本体２側の任意位置に設けることもできる。
【００１８】
ところで、索体支持孔８は、背景技術の項で説明したように索体７を挿入して係止できるから逆の動作（係止解除→索体支持孔８から索体７を外す）も可能であり、たとえばランプ１５の取替え後に配光部材５を器具本体２に付け返す時など、配光部材５を手で持ち上げようとして索体７に張力がかからなくなった場合に、撓んだ索体７が引掛孔部１０から通孔部１１を経て導入孔部９に至って索体支持孔８から索体７が抜け落ちる事態を発生させる恐れがあったが、本例では、索体７の索体支持孔８への挿入後に導入孔部９又は通孔部１１を塞いで索体７の抜け止めをするための抜け止め部材１２を器具本体２に取り付けるといった付加的な簡単な改良を加えることで、上記索体７が予期せず索体支持孔８から抜け落ちる事態を回避している。
【００１９】
詳しくは、本例の抜け止め部材１２は、図１のように、導入孔部９に着脱自在に嵌着させるキャップ部材１６で構成されている。このキャップ部材１６は、円孔状の導入孔部９と同形状の円盤状の蓋板部１６ａと、蓋板部１６ａから突出して導入孔部９の裏側縁に引っ掛け係止する複数の係止脚１６ｂとを有している。ここで、索体支持孔８の裏側とは、索体７の索体支持孔８への挿入側（表側）と反対側で、索体７の引掛部７ａが索体支持孔８に引っ掛かる側をいう。本例では係止脚１６ｂは円盤状の蓋板部１６ａにおける周方向の適宜間隔ごとに設けられている。なお、例示したキャップ部材１６は導入孔部９に被着するものであるが、引掛孔部１０に引掛部７ａを引っ掛けた索体７の索体支持孔８内での挿通部分を確保できれば、通孔部１１に被着しても、導入孔部９及び通孔部１１に被着してもよい。このように、抜け止め部材１２としてのキャップ部材１６を導入孔部９又は通孔部１１に嵌着させるという簡単な構造で、導入孔部９又は通孔部１１を塞いで索体７の索体支持孔８からの抜け落ち防止を図ることができたのである。
【００２０】
以下、抜け止め部材１２の他例を列挙する。
【００２１】
図４の抜け止め部材１２は、導入孔部９に着脱自在に螺着させるネジ部材１７で構成されている。導入孔部９には雌ねじ１９が刻設され、この雌ねじ１９にネジ部材１７の雄ねじ１７ａが螺合してネジ部材１７の頭部１７ｂが導入孔部９を塞ぐようになる。なお、引掛孔部１０に引掛部７ａを引っ掛けた索体７の索体支持孔８内での挿通部分を確保できれば、頭部１７ｂを大きく形成して通孔部１１をも塞ぐようにしてもよい。このように、抜け止め部材１２としてのネジ部材１７を導入孔部９に螺着させるという簡単な構造で、導入孔部９又は通孔部１１を塞いで索体７の索体支持孔８からの抜け落ち防止を図ることができるのである。
【００２２】
図５の抜け止め部材１２は、導入孔部９及び通孔部１１を開閉自在にする目隠し板１８で構成されている。この目隠し板１８は、索体７の索体支持孔８への挿入後にビス等の固着具２０で器具本体２に取り付け、導入孔部９及び通孔部１１を閉塞させる。なお例示した目隠し板１８は導入孔部９及び通孔部１１を閉塞するが、引掛孔部１０に引掛部７ａを引っ掛けた索体７の索体支持孔８内での挿通部分を確保できれば、導入孔部９又は通孔部１１のみを閉塞するようにしてもよい。このように、抜け止め部材１２としての目隠し板１８を導入孔部９又は通孔部１１に開閉自在にするという簡単な構造で、導入孔部９又は通孔部１１を塞いで索体７の索体支持孔８からの抜け落ち防止を図ることができるのである。なお、目隠し板１８によると索体支持孔８を目隠しできるから照明器具１の外観向上に資することもできる。
【００２３】
図６の抜け止め部材１２は、先例（図５）と同様に導入孔部９及び通孔部１１を開閉自在にする目隠し板１８で構成されているが、器具本体２への取付形態が異なっている。すなわち、本例の目隠し板１８は、回転軌跡上に索体支持孔８が位置するように、器具本体２に対して回転自在にして取り付けられている。しかして、索体７の索体支持孔８への挿入時にはたとえば図６（ａ）→（ｂ）のように目隠し板１８を枢支部２１を中心に上方に回転（矢印Ｄ）させて索体支持孔８を開放状態として索体７の挿入を妨げないようにし、索体７の索体支持孔８への挿入後には図６（ｂ）→（ｃ）のように目隠し板１８を枢支部２１を中心に下方に回転（矢印Ｅ）させて索体支持孔８の導入孔部９及び通孔部１１を閉塞させる、といったように目隠し板１８の回転姿勢を変更することで目隠し板１８にて導入孔部９又は通孔部１１が開閉自在にされている。
【００２４】
なお例示した目隠し板１８は導入孔部９及び通孔部１１を閉塞するが、引掛孔部１０に引掛部７ａを引っ掛けた索体７の索体支持孔８内での挿通部分を確保できれば、導入孔部９又は通孔部１１のみを閉塞するようにしてもよい。また、本例の枢支部２１は目隠し板１８を器具本体２に取り付けるビス等の固着具２０で構成しているが、たとえばピンなどの他の手段を採用することもできる。このように、目隠し板１８を器具本体２に回転自在に装着するという簡単な構造で、導入孔部９又は通孔部１１を塞いで索体７の索体支持孔８からの抜け落ち防止を図ることができるのである。
【００２５】
図７の抜け止め部材１２は、先例（図５，６）と同様に導入孔部９及び通孔部１１を開閉自在にする目隠し板１８で構成されているが、本例の目隠し板１８は弾性変形可能な板材で構成されており、この目隠し板１８の器具本体２への取付形態は、先例（図５，６）の表側から索体支持孔８を覆う形態とは異なり、裏側から索体支持孔８を覆う形態である。すなわち、本例の目隠し板１８は導入孔部９及び通孔部１１を裏側から閉塞するように器具本体２にビス等の固着具２０にて取り付けられており、裏方向に目隠し板１８を屈曲変形させたときに導入孔部９及び通孔部１１を開放状態にできるようにされている。しかして、図７（ｂ）〜（ｄ）のように、索体７の索体支持孔８への挿入時には索体７の挿入力にて目隠し板１８を屈曲変形でき、索体７の索体支持孔８への挿入後には目隠し板１８は弾性復帰にて元の形状に復して導入孔部９又は通孔部１１を塞ぐようにできるのである。このように本例の目隠し板１８では、図６の例の目隠し板１８の回転操作のような目隠し板１８に対して索体支持孔８を塞ぐための操作が必要ではなく、つまり通常の索体７の索体支持孔８への挿入動作のみで、簡単に索体７の索体支持孔８からの抜け落ち防止を図ることができるのである。なお、例示した目隠し板１８は導入孔部９及び通孔部１１を閉塞するが、引掛孔部１０に引掛部７ａを引っ掛けた索体７の索体支持孔８内での挿通部分を確保できれば、導入孔部９又は通孔部１１のみを閉塞するようにしてもよい。
【００２６】
ここで、上記実施形態では、導入孔部９や引掛孔部１０は円孔状に形成されているが、矩形孔状などの任意の孔形状に形成してもよい。また、上記実施形態では索体支持孔８は一定幅で長さのある通孔部１１を有して成る変形だるま孔状に形成されているが、索体支持孔８は、一定幅で長さの殆ど無い通孔部１１を有したもの、つまり導入孔部９が引掛孔部１０に直接連通されて成る、２連の孔で形成された一般に言うだるま孔状に形成してもよい。この場合、導入孔部９と引掛孔部１０との連通部位を通孔部１１と言うことができる。
【図面の簡単な説明】
【００２７】
【図１】本発明の実施の形態の例の照明器具における索体支持孔への抜け止め部材の取り付けを説明する説明図である。
【図２】同上の照明器具の分解斜視図である。
【図３】（ａ）は索体の索体支持孔への引っ掛け係止作業を説明する照明器具の要部の斜視図であり、（ｂ）は索体を引っ掛け係止した状態の索体支持孔近傍の斜視図である。
【図４】抜け止め部材の他例を説明する説明図である。
【図５】抜け止め部材の更に他例であり、（ａ）は器具本体への取り付けを説明する説明図であり、（ｂ）は取り付けた状態の斜視図である。
【図６】抜け止め部材の更に他例であり、（ａ）は取り付けた状態の斜視図であり、（ｂ）は索体の索体支持孔への挿入作業の説明図であり、（ｃ）は索体を引っ掛け係止した状態の索体支持孔近傍の斜視図である。
【図７】抜け止め部材の更に他例であり、（ａ）は取り付けた状態の斜視図であり、（ｂ）〜（ｄ）は索体の索体支持孔への引っ掛け係止作業を時系列的に説明する説明図である。
【図８】従来技術の例の索体支持孔における問題点を説明する説明図である。
【符号の説明】
【００２８】
１  照明器具
２  器具本体
３  ランプ装着部
４  取付手段
５  配光部材
６  吊手段
７  索体
７ａ  引掛部
８  索体支持孔
９  導入孔部
１０  引掛孔部
１１  通孔部
１２  抜け止め部材
１６  キャップ部材
１７  ネジ部材
１８  目隠し板
【図１】
2009059624.tif 000003
【図２】
2009059624.tif 000004
【図３】
2009059624.tif 000005
【図４】
2009059624.tif 000006
【図５】
2009059624.tif 000007
【図６】
2009059624.tif 000008
【図７】
2009059624.tif 000009
【図８】
2009059624.tif 000010